(57)【要約】【課題】送信フレームを複数のデータ系列に分割して、それぞれを複数の無線チャネル（複数のアンテナ）を用いて送信する無線送信装置と無線受信装置との間で当該送信フレームを送受信する際に、無線受信装置が無線送信装置へ、各無線チャネルで送信された各データ系列の受信の成否を通知することができる無線通信システムを提供する。【解決手段】ヘッダフィールドを有する送信フレームを複数のデータ系列に分割し、複数のデータ系列のそれぞれに対し誤り検出符号を付加し、誤り検出符号が付加された複数のデータ系列のそれぞれに、プリアンブル列及びシグナルフィールドを付加して、複数のパケット信号を生成し、複数の無線チャネルを用いて複数のパケット信号をそれぞれ送信する。複数のデータ系列のうちの少なくとも１つは、送信フレームの宛先アドレス情報及び送信元アドレス情報を含む。【選択図】      図６
2005333345.tif 000002
【特許請求の範囲】
【請求項１】
ヘッダフィールドを有する送信フレームを複数のデータ系列に分割する分割手段と、
前記複数のデータ系列のそれぞれに対し誤り検出符号を付加する手段と、
前記誤り検出符号が付加された複数のデータ系列のそれぞれに、プリアンブル列及びシグナルフィールドを付加して、複数のパケット信号を生成する手段と、
複数の無線チャネルを用いて前記複数のパケット信号をそれぞれ送信する手段と、
を具備し、
前記複数のデータ系列のうちの少なくとも１つは、前記送信フレームの宛先アドレス情報及び送信元アドレス情報を含むことを特徴とする無線送信装置。
【請求項２】
前記送信フレームを送信する度に、前記複数のパケット信号のうち当該送信フレームの宛先アドレス情報及び送信元アドレス情報を含むデータ系列を有するパケット信号を送信する無線チャネルを変更することを特徴とする請求項１記載の無線送信装置。
【請求項３】
過去に送信された前記複数のパケット信号に対する、前記送信フレームを受信する受信装置からの確認応答信号の有無、及び当該確認応答信号に含まれる、受信に失敗したパケット信号の有無を示す情報を基に、前記複数の無線チャネルのなかから、今回送信する送信フレームの宛先アドレス情報及び送信元アドレス情報を含むデータ系列を有するパケット信号を送信する無線チャネルを選択する手段をさらに具備したことを特徴とする請求項１記載の無線送信装置。
【請求項４】
前記複数のデータ系列のうち前記送信フレームの宛先アドレス情報及び送信元アドレス情報を含むデータ系列の伝送速度は、他のデータ系列の伝送速度よりも低くなるように、前記複数の無線チャネルのなかから、前記送信フレームの宛先アドレス情報及び送信元アドレス情報を含むデータ系列を有するパケット信号を送信する無線チャネルを選択する手段をさらに具備したことを特徴とする請求項１記載の無線送信装置。
【請求項５】
前記送信フレームの宛先アドレス情報及び送信元アドレス情報を含むデータ系列には、前記宛先アドレス情報及び送信元アドレス情報を含む前記ヘッダフィールドが含まれていることを特徴とする請求項１記載の無線送信装置。
【請求項６】
前記複数のデータ系列のうちの１つに前記送信フレームの宛先アドレス情報及び送信元アドレス情報が含まれていることを特徴とする請求項１記載の無線送信装置。
【請求項７】
送信フレームを分割した結果得られる複数のデータ系列のそれぞれに誤り検出符号を付加し、当該誤り検出符号の付加された前記データ系列をそれぞれ含む複数のパケット信号を複数の無線チャネルで送信する無線送信装置から送信される前記パケット信号を受信する無線受信装置であって、
受信された各パケット信号中の前記データ系列に付加されている前記誤り検出符号を用いて、各パケット信号の受信の成否を判定する判定手段と、
前記送信フレームの宛先アドレス情報及び送信元アドレス情報を含むデータ系列を有するパケット信号の受信に成功した無線チャネルで確認応答信号を送信する送信手段と、
を具備したことを特徴とする無線受信装置。
【請求項８】
前記確認応答信号はシグナルフィールドを含み、当該シグナルフィールドは受信に失敗したパケット信号の有無を示す情報を含むことを特徴とする請求項７記載の無線受信装置。
【請求項９】
受信の成功した各パケット信号中の前記データ系列に、前記送信フレームの宛先アドレス情報及び送信元アドレス情報が含まれていないときには、前記確認応答信号を送信しないことを特徴とする請求項７記載の無線受信装置。
【請求項１０】
前記複数のデータ系列のそれぞれは、前記送信フレームの宛先アドレス情報及び送信元アドレス情報を含むことを特徴とする請求項１記載の無線送信装置。
【請求項１１】
前記複数のデータ系列のそれぞれは、前記送信フレームのヘッダフィールドを含むことを特徴とする請求項１記載の無線送信装置。
【請求項１２】
前記複数のデータ系列のそれぞれは、前記送信フレームの宛先アドレス情報及び送信元アドレス情報を含み、
前記送信手段は、
パケット信号の受信に成功した無線チャネルを用いて、受信に失敗したパケット信号の有無を示す情報を含むシグナルフィールドを有する確認応答信号を送信することを特徴とする請求項７記載の無線受信装置。
【請求項１３】
前記送信手段は、
前記複数の無線チャネルのうちの少なくとも１つを用いて、各無線チャネルの伝送路状態を示す情報を含む信号を送信することを特徴とする請求項１２記載の無線受信装置。
【請求項１４】
前記送信手段は、
前記複数の無線チャネルのうちの少なくとも１つを用いて、前記無線受信装置から前記無線送信装置へ要求する各データ系列の伝送速度を含む信号を送信することを特徴とする請求項１２記載の無線受信装置。
【請求項１５】
ヘッダフィールドを有する送信フレームを複数のデータ系列に分割する第１のステップと、
前記複数のデータ系列のそれぞれに対し誤り検出符号を付加する第２のステップと、
前記誤り検出符号が付加された複数のデータ系列のそれぞれに、プリアンブル列及びシグナルフィールドを付加して、複数のパケット信号を生成する第３のステップと、
複数の無線チャネルを用いて前記複数のパケット信号をそれぞれ送信する第４のステップと、
を有し、
前記複数のデータ系列のうちの少なくとも１つは、前記送信フレームの宛先アドレス情報及び送信元アドレス情報を含むことを特徴とする無線送信方法。
【請求項１６】
前記送信フレームを送信する度に、前記複数のパケット信号のうち当該送信フレームの宛先アドレス情報及び送信元アドレス情報を含むデータ系列を有するパケット信号を送信する無線チャネルを変更することを特徴とする請求項１５記載の無線送信方法。
【請求項１７】
過去に送信された前記複数のパケット信号に対する、前記送信フレームを受信する受信装置からの確認応答信号の有無、及び当該確認応答信号に含まれる、受信に失敗したパケット信号の有無を示す情報を基に、前記複数の無線チャネルのなかから、今回送信する送信フレームの宛先アドレス情報及び送信元アドレス情報を含むデータ系列を有するパケット信号を送信する無線チャネルを選択することを特徴とする請求項１６記載の無線送信方法。
【請求項１８】
前記複数のデータ系列のうち前記送信フレームの宛先アドレス情報及び送信元アドレス情報を含むデータ系列の伝送速度は、他のデータ系列の伝送速度よりも低くなるように、前記複数の無線チャネルのなかから、前記送信フレームの宛先アドレス情報及び送信元アドレス情報を含むデータ系列を有するパケット信号を送信する無線チャネルを選択することを特徴とする請求項１６記載の無線送信方法。
【請求項１９】
送信フレームを分割した結果得られる複数のデータ系列のそれぞれに誤り検出符号を付加し、当該誤り検出符号の付加された前記データ系列をそれぞれ含む複数のパケット信号を複数の無線チャネルで送信する無線送信装置から送信される前記パケット信号を受信する無線受信装置における無線受信方法であって、
受信された各パケット信号中の前記データ系列に付加されている前記誤り検出符号を用いて、各パケット信号の受信の成否を判定する第１のステップと、
前記送信フレームの宛先アドレス情報及び送信元アドレス情報を含むデータ系列を有するパケット信号の受信に成功した無線チャネルで確認応答信号を送信する第２のステップと、
を有することを特徴とする無線受信方法。
【請求項２０】
前記確認応答信号はシグナルフィールドを含み、当該シグナルフィールドは受信に失敗したパケット信号の有無を示す情報を含むことを特徴とする請求項１９記載の無線受信方法。
【請求項２１】
受信の成功した各パケット信号中の前記データ系列に、前記送信フレームの宛先アドレス情報及び送信元アドレス情報が含まれていないときには、前記確認応答信号を送信しないことを特徴とする請求項１９記載の無線受信方法。
【請求項２２】
前記複数のデータ系列のそれぞれは、前記送信フレームの宛先アドレス情報及び送信元アドレス情報を含むことを特徴とする請求項１５記載の無線送信方法。
【請求項２３】
前記複数のデータ系列のそれぞれは、前記送信フレームの宛先アドレス情報及び送信元アドレス情報を含み、
前記第２のステップは、
パケット信号の受信に成功した無線チャネルを用いて、受信に失敗したパケット信号の有無を示す情報を含むシグナルフィールドを有する確認応答信号を送信することを特徴とする請求項１９記載の無線受信装置。
【請求項２４】
前記第２のステップは、
前記複数の無線チャネルのうちの少なくとも１つを用いて、各無線チャネルの伝送路状態を示す情報を含む信号を送信することを特徴とする請求項２３記載の無線受信方法。
【請求項２５】
前記第２のステップは、
前記複数の無線チャネルのうちの少なくとも１つを用いて、前記無線受信装置から前記無線送信装置へ要求する各データ系列の伝送速度を含む信号を送信することを特徴とする請求項２３記載の無線受信方法。
【請求項２６】
送信フレームを分割した結果得られる複数のデータ系列のそれぞれに誤り検出符号を付加し、当該誤り検出符号の付加された前記データ系列をそれぞれ含む複数のパケット信号を複数の無線チャネルで送信する無線送信装置から送信される前記パケット信号を受信する無線受信装置であって、
受信された各パケット信号中の前記データ系列に付加されている前記誤り検出符号を用いて、各パケット信号の受信の成否を判定する判定手段と、
全ての無線チャンネルにて、前記送信フレームの宛先アドレス情報及び送信元アドレス情報を含むデータ系列を有するパケット信号の受信に成功した場合、全ての無線チャネルで確認応答信号を送信する送信手段と、
を具備したことを特徴とする無線受信装置。
【発明の詳細な説明】
【技術分野】
【０００１】
この発明は、送信フレームを複数の無線チャネル（複数のアンテナ）で送信する無線通信システムに関する。
【背景技術】
【０００２】
高速な無線通信を可能とする標準規格としてＩＥＥＥ８０２．１１ａと称される無線通信規格がある。これは２０ＭＨｚの周波数帯域幅を有する無線チャネルを用いて無線通信を行う規格であり、最大で５４Ｍｂｐｓの通信速度を得ることが可能である。
【０００３】
ところで、さらなる高速通信を実現する方法の候補として、複数の無線チャネルを同時に利用することが考えられる。例えば、従来は周波数「ｆ１」の無線チャネルを利用しているところを、周波数「ｆ１」及び「ｆ２」の２つの無線チャネルを同時に利用する方法である。この例では最大で１０８Ｍｂｐｓの通信速度を得ることが可能となる。
【０００４】
しかし、周波数利用効率等を考慮すると、複数の送信フレームをそれぞれ複数の無線チャネルで送信するよりも、１つの送信フレームを分割して複数の無線チャネルで送信する方法が好ましいと考えられる。送信フレームを分割する方法に関しては、フラグメントと称される時間的な分割に関する方法については明らかにされているものの（例えば特許文献１参照）、上述のように、複数の無線チャネルに割当てることを目的とした送信フレームの具体的な分割手法に関してはこれまで明らかにされていない。
【特許文献１】特開２００２−１３５２３１公報  図３及び図６
【発明の開示】
【発明が解決しようとする課題】
【０００５】
従来は、送信フレームを複数のデータ系列に分割して、それぞれをＩＥＥＥ８０２．１１ａに適用される無線フレームにより複数の無線チャネルを用いて送信する場合に、各無線チャネルで送信される各データ系列に誤りが検出されたときの再送制御や伝送速度制御を考慮した送信フレームの分割手法が存在しなかった。
【０００６】
そこで、本発明は、上記問題点に鑑み、送信フレームを複数のデータ系列に分割して、それぞれを複数の無線チャネル（複数のアンテナ）を用いて送信する無線送信装置と無線受信装置との間で、当該送信フレームを送受信する際に、無線送信装置において、無線チャネルを単位として再送制御や伝送速度制御を行えるように、無線受信装置が無線送信装置へ、各無線チャネルで送信された各データ系列の受信の成否を通知することができ、もって、複数の無線チャネルを用いた高速通信システムに適用可能な無線送信装置、無線受信装置、無線送信方法及び無線受信方法を提供することを目的とする。
【課題を解決するための手段】
【０００７】
（１）本発明は、（ａ）ヘッダフィールドを有する送信フレームを複数のデータ系列に分割し、（ｂ）前記複数のデータ系列のそれぞれに対し誤り検出符号を付加し、（ｃ）前記誤り検出符号が付加された複数のデータ系列のそれぞれに、プリアンブル列及びシグナルフィールドを付加して、複数のパケット信号を生成し、（ｄ）複数の無線チャネルを用いて前記複数のパケット信号をそれぞれ送信し、前記複数のデータ系列のうちの少なくとも１つは、前記送信フレームの宛先アドレス情報及び送信元アドレス情報を含むことを特徴とする。
【０００８】
上記発明によれば、受信側で、複数のパケット信号（無線フレーム信号）のうちの１つ（送信フレームの宛先アドレス情報及び送信元のアドレス情報を含むデータ系列を有するパケット信号）の受信に成功すれば、他のパケット信号の受信に失敗した場合でも、パケット信号の受信に成功した無線チャネルを用いて、確認応答信号を送信側へ送信することができる。
【０００９】
（２）本発明は、送信フレームを分割した結果得られる複数のデータ系列のそれぞれに誤り検出符号を付加し、当該誤り検出符号の付加された前記データ系列をそれぞれ含む複数のパケット信号を複数の無線チャネルで送信する無線送信装置から送信される前記パケット信号を受信する際には、（ａ）受信された各パケット信号中の前記データ系列に付加されている前記誤り検出符号を用いて、各パケット信号の受信の成否を判定し、（ｂ）前記送信フレームの宛先アドレス情報及び送信元アドレス情報を含むデータ系列を有するパケット信号の受信に成功した無線チャネルで確認応答信号を送信することを特徴とする。
【００１０】
好ましくは、前記確認応答信号はシグナルフィールドを含み、当該シグナルフィールドは受信に失敗したパケット信号の有無を示す情報を含む。
【００１１】
上記発明によれば、送信フレームの宛先アドレス情報及び送信元のアドレス情報を含むデータ系列を有するパケット信号の受信に成功すれば、他のパケット信号の受信に失敗した場合でも、当該受信に成功した無線チャネルを用いて確認応答信号を送信することができる。さらに、当該確認応答信号に受信に失敗したパケット信号の有無を示す情報が含まれていることで、当該確認応答信号を送信することで、複数のパケット信号のうち受信に失敗したパケット信号の有無を送信側へ通知することができる。
【発明の効果】
【００１２】
本発明によれば、送信フレームを複数のデータ系列に分割して、それぞれを複数の無線チャネル（複数のアンテナ）を用いて送信する無線送信装置と無線受信装置との間で、当該送信フレームを送受信する際に、無線受信装置が無線送信装置へ、各無線チャネルで送信された各データ系列の受信の成否を通知することができる。
【発明を実施するための最良の形態】
【００１３】
以下、図面を参照しながら本発明の実施の形態について詳細に説明する。
【００１４】
まず、図２、図３を参照して、ＩＥＥＥ８０２．１１ａで規定されている無線フレーム信号のフォーマットと、通信シーケンスについて説明する。
【００１５】
ＩＥＥＥ８０２．１１ａで規定されている無線フレーム信号（パケット信号）は、図２（ａ）に示すように、プリアンブル列（Preamble）、シグナルフィールド（Signal）、データフィールド（Data）を含む。プリアンブル列は図２（ｂ）に示すように、ショートプリアンブル列（Short Preamble）及びロングプリアンブル列（Long Preamble）と称されるシステム固有のシンボル列を含み、これらは、受信装置において、同期処理及び伝送路推定処理等に利用される。
【００１６】
シグナルフィールドは図２（ｃ）に示すように、Ｒａｔｅ及びＬｅｎｇｔｈフィールド等を含み、受信装置に対して当該無線フレーム（に含まれるデータフィールド内のデータ）の伝送レートや長さを通知する目的で利用される。
【００１７】
データフィールドは図２（ｄ）に示すように、サービスフィールド（Service）、ＰＳＤＵ（PLCP Service data unit）、畳み込み符号化を終端するための６ビットのＴａｉｌビット列、当該フレーム信号に隙間無く信号を配置するために余ったビットを補填するための可変長のパディング(Padding)ビット列が含まれている。
【００１８】
ＰＳＤＵフィールドはヘッダ（Ｈｅａｄｅｒ）、データ本体（Ｄａｔａ・Ｂｏｄｙ）及びＦＣＳフィールドにより構成されている。ヘッダフィールドは当該無線フレームに含まれる情報データ（データ本体）に関わる制御データを含み、Ｄａｔａ・Ｂｏｄｙフィールドは当該無線フレームで伝送されるデータ本体を含み、ＦＣＳフィールドはヘッダフィールド及びＤａｔａ・Ｂｏｄｙフィールド（ここでは、ヘッダフィールド及びＤａｔａ・Ｂｏｄｙフィールドからなるデータ系列を送信フレームと呼ぶ）に対する誤り検出符号を含む。また、ヘッダフィールドはＦｒａｍｅ・Ｃｏｎｔｒｏｌ及びＡｄｄｒｅｓｓフィールド等を含み、Ｆｒａｍｅ・Ｃｏｎｔｒｏｌフィールドには当該無線フレームの種別に関わる制御データ等が含まれ、Ａｄｄｒｅｓｓフィールドには、当該無線フレーム（ＰＳＤＵフィールド内の送信フレーム）を送信する送信装置を識別するアドレス情報や、当該無線フレーム（ＰＳＤＵフィールド内の送信フレーム）を受信する受信装置を識別するアドレス情報等が含まれる、Ａｄｄｒｅｓｓ１〜Ａｄｄｒｅｓｓ４フィールドを含む。
【００１９】
一般に、Ａｄｄｒｅｓｓ１フィールドには、当該無線フレーム（ＰＳＤＵフィールド内の送信フレーム）を受信する受信装置のアドレスが格納され、Ａｄｄｒｅｓｓ２フィールドには、当該無線フレーム（ＰＳＤＵフィールド内の送信フレーム）を送信する送信装置のアドレスが格納されるようになっている。
【００２０】
図３はＩＥＥＥ８０２．１１ａに規定されている基本的な通信シーケンスを示している。ここでは、送信フレームを送信する無線通信装置を送信装置、送信フレームを受信する無線通信装置を受信装置と称している。送信装置が図２（ａ）の無線フレームにより送信フレームを送信すると、これを受信した受信装置は図２（ｄ）に示したＰＳＤＵフィールド内のＦＣＳフィールドを用いて当該送信フレームの誤り検出処理を行う。
【００２１】
上述のように誤り検出符号はヘッダ及びＤａｔａ・Ｂｏｄｙフィールドを含む送信フレームに対して付加されており、これによって受信装置が当該無線フレームを誤りなく受信した場合には、当該無線フレームが当該受信装置に対して送信された無線フレームであること、当該無線フレームに含まれる送信フレームを誤りなく受信したこと、及び当該無線フレームを送信した送信装置を確実に識別することを保証することが可能である。この場合、受信装置は送信装置に対して当該無線フレームの受信に成功したことを確認応答（ＡＣＫ）により通知する。ＡＣＫを通知された送信装置は当該無線フレームの送信が成功したことを把握して、例えば無線フレームの伝送速度制御等を行った後、新たな送信フレームの送信を継続する。
【００２２】
受信装置が当該無線フレームの受信に失敗、すなわち誤りが検出された場合には、送信装置に対するＡＣＫの通知は行われない。これは、当該無線フレームを送信した送信装置を確実に識別することができないことに起因する。送信装置は所定の期間内にＡＣＫの通知を受けないことにより、当該無線フレームの送信が失敗したことを把握して、例えば当該無線フレームの再送制御や伝送速度制御等を行った後に新たな送信フレームの送信を継続する。
【００２３】
ところで、送信フレームを分割して複数の無線チャネルに割当てて送信することで高速通信を実現する場合には、上述の再送制御や伝送速度制御は各無線チャネルを単位として行われることが望ましい。これは、送信装置４０２が利用する複数の無線チャネルにおいてそれぞれの伝送路状態が異なる場合があり得るからである。
【００２４】
例えば、図４に示すように、送信装置４０１が受信装置４０３に対して周波数「ｆ１」の無線チャネル４０４及び周波数「ｆ２」の無線チャネル４０５を用いて無線通信を行っている場合、近接する送信装置４０２が周波数「ｆ１」の無線チャネル４０６を用いて無線通信を行っている場合には、無線チャネル４０４には大きな干渉が存在するが、無線チャネル４０５には干渉が存在しないという状態が考えられる。そして、例えば、複数の無線チャネルに同一の伝送速度が適用されると、それぞれの無線フレームの受信に失敗する確率が異なるために、その通信効率を低下させてしまうという問題が生じる。
【００２５】
しかしながら、図２に示す無線フレームの構成によると、誤り検出を可能にするＦＣＳフィールドは１つであり、これは、ＰＳＤＵフィールドの送信フレームを複数のデータ系列に分割して、それぞれを複数の無線チャネルで送信した場合においても、誤り検出の対象は原送信フレーム全体であり、各無線チャネルで送信されデータ系列を単位として誤り検出を行うことはできない。つまり、ある無線チャネルで送信されたデータ系列に誤りが存在する場合には、他の無線チャネルで送信されたデータ系列に誤りが存在しない場合においても、受信装置はこれを送信装置に対して通知することはできない。これは、無線チャネルを単位として再送制御や伝送速度制御を行うことができないことを意味している。
【００２６】
そこで、本実施形態にかかる無線通信システムでは、送信フレームを複数のデータ系列に分割して複数の無線チャネルを用いてそれぞれ送信する場合に、少なくとも１つの無線チャネルに関しては、当該無線チャネルで誤りが生じていない場合には、他の無線チャネルで誤りが生じているときにも、この無線チャネルを用いて送信装置に対し、無線フレームの受信状態（誤りの検出された無線チャネルの有無）を通知して、無線チャネルを単位として再送制御や伝送速度制御を行うようになっている。
【００２７】
ここでは、図１に示すように、周波数「ｆ１」及び「ｆ２」の２つの無線チャネルを同時に利用する場合を例にとり説明する。
【００２８】
（第１の実施形態）
図５は、第１の実施形態にかかる無線通信装置の要部の構成例を示したものである。なお、図５に示す無線通信装置は、ヘッダフィールドとＤａｔａ・Ｂｏｄｙフィールドを含む送信フレームを２つのデータ系列に分割して、２つの無線チャネル（ここでは、一方を無線チャネルａ、他方を無線チャネルｂと呼ぶ）を用いてそれぞれ送信し、当該２つのデータ系列をそれぞれ含む２つの無線フレーム信号（パケット信号）を受信する場合の構成例を示している。
【００２９】
図５において、無線通信装置は、大きく分けて、複数の無線チャネル（ここでは例えば２つの無線チャネルａ、無線チャネルｂ）のそれぞれに対応するアンテナ１ａ、１ｂ、送信系２０１、受信系２０２、送信系２０１及び受信系２０２を制御するための制御部１０１，ＭＡＣ処理部１００からなる。
【００３０】
送信系２０１は、複数の無線チャネル（無線チャネルａ、無線チャネルｂ）のそれぞれに対応する、無線処理部２ａ、２ｂ（以下、これらを区別する必要がない場合には無線処理部２と呼ぶ）、変調処理部３ａ、３ｂ（以下、これらを区別する必要がない場合には変調処理部３と呼ぶ）、符号化処理部４ａ、４ｂ（以下、これらを区別する必要がない場合には符号化処理部４と呼ぶ）、誤り検出符号付加部５ａ、５ｂ（以下、これらを区別する必要がない場合には誤り検出符号付加部５と呼ぶ）、さらに、送信データ分割部６、送信バッファ７を含む。なお、ここでは、無線チャネルａに対応する送信系（無線処理部２ａ、変調処理部３ａ、符号化処理部４ａ、誤り検出符号付加部５ａ）を第１の送信系と呼び、無線チャネルｂに対応する送信系（無線処理部２ｂ、変調処理部３ｂ、符号化処理部４ｂ、誤り検出符号付加部５ｂ）を第２の送信系と呼ぶ。
【００３１】
受信系２０２は、複数の無線チャネル（無線チャネルａ、無線チャネルｂ）のそれぞれに対応する、無線処理部８ａ、８ｂ（以下、これらを区別する必要がない場合には無線処理部８と呼ぶ）、復調処理部９ａ、９ｂ（以下、これらを区別する必要がない場合には復調処理部９と呼ぶ）、復号処理部１０ａ、１０ｂ（以下、これらを区別する必要がない場合には復号処理１０と呼ぶ）、誤り検出処理部１１ａ、１１ｂ（以下、これらを区別する必要がない場合には誤り検出処理部１１と呼ぶ）、さらに、受信データ結合部１２、受信バッファ１３を含む。なお、ここでは、無線チャネルａに対応する受信系（無線処理部８ａ、復調処理部９ａ、復号処理部１０ａ、誤り検出処理部１１ａ）を第１の受信系と呼び、無線チャネルｂに対応する受信系（無線処理部８ｂ、復調処理部９ｂ、復号処理部１０ｂ、誤り検出処理部１１ｂ）を第２の受信系と呼ぶ。
【００３２】
ＭＡＣ処理部１００は、ＭＡＣフレームのうち、図６（ａ）に示すようにＨｅａｄｅｒ及びＤａｔａ・Ｂｏｄｙからなるデータ系列（送信フレーム）を送受信する。
【００３３】
制御部１０１は、無線処理部２、８、変調処理部３、復調処理部９、符号化処理部４、復号処理部１０、誤り検出符号付加部５、誤り検出処理部１１、送信データ分割部６、受信データ結合部１２を制御する。具体的には、無線処理部２に対しては、適用する無線チャネルの周波数を通知し、変調処理部３に対しては適用する変調方式を通知する。また、復調処理部９に対しては変調方式及び復調方法を通知し、符号化処理部４に対しては符号化方式及び符号化率を通知し、復号処理部１０に対しては符号化方式及び符号化率を通知する。送信データ分割部６に対しては送信データの分割方法及び分割位置を通知し、受信データ結合部１２に対しては受信データの結合方法及びその位置を通知する。
【００３４】
さらに、受信装置へ送信した無線フレーム信号に対し、当該受信装置からのＡＣＫフレーム信号を受信したか否か、ＡＣＫフレーム信号を受信した場合には、当該ＡＣＫフレーム信号から、受信装置で全無線チャネルで誤りなく受信が行えたのか、一部の無線チャネルで誤りが検出されたのかを判定する。また、予め定められた時間内にＡＣＫフレーム信号を受信しなければ、対応の無線フレーム信号の送信に失敗したと判定し、当該判定結果を適用して対応する無線フレーム信号の再送制御や伝送速度制御を行う。
【００３５】
（無線フレーム信号の送信）
次に、図６を参照しながら、図５の送信系２０１の各構成部とその動作について説明する。
【００３６】
送信系２０１では、ＭＡＣ処理部１００から出力される図６（ａ）に示すようなヘッダフィールドを含む送信フレームが送信バッファ７に入力され、ここで一時記憶される。
【００３７】
送信データ分割部６は送信バッファ７に記憶された送信フレームを無線チャネル数（例えば、ここでは２つ）に対応して２つのデータ系列に分割して、当該２つのデータ系列を誤り検出符号付加部５ａ、５ｂへそれぞれ出力する。以下、２つのデータ系列のそれぞれに対し、誤り検出符号の付加処理、符号化処理、変調処理、無線処理が行われて、アンテナ１ａ、１ｂから送出される。
【００３８】
誤り検出符号付加部５ａ、５ｂは、それぞれに入力されたデータ系列に対して例えばＣＲＣ符号等の誤り検出符号を付加する。そして、その結果得られる、図６（ｂ）、（ｃ）に示すような、誤り検出符号を格納するＦＣＳフィールドが付加された２つのデータ系列を符号化処理部４ａ、４ｂへそれぞれ出力する。
【００３９】
ここで、図６を参照して送信データ分割部６の動作例を説明する。ここでは、送信バッファ７に一時記憶された送信フレームは２つに分割され、それぞれ異なる無線チャネルａ、ｂに割当てられる。図６では、送信データ分割部６は、当該送信フレームのＤａｔａ・Ｂｏｄｙフィールド内で２つのデータ系列に分割し、ヘッダフィールドとＤａｔａ・Ｂｏｄｙフィールドの前半部分は第１の送信系から無線チャネルａを用いて送信するために誤り検出符号付加部５ａへ出力される。また、Ｄａｔａ・Ｂｏｄｙフィールドの後半部分は第２の送信系から無線チャネルｂを用いて送信するために、誤り検出符号付加部５ｂへ出力される。
【００４０】
誤り検出符号付加部５ａは、第１の送信系で送信される第１のデータ系列（ヘッダフィールドとＤａｔａ・Ｂｏｄｙフィールドの前半部分）に対して誤り検出符号を付加し、図６（ｂ）に示すようなデータ系列を符号化処理部４ａへ出力する。誤り検出符号付加部５ｂは、第２の送信系で送信される第２のデータ系列（Ｄａｔａ・Ｂｏｄｙフィールドの後半部分）に対して誤り検出符号を付加し、図６（ｃ）に示すようなデータ系列を符号化処理部４ｂへ出力する。
【００４１】
図６（ａ）乃至（ｃ）に示す分割方法では、ヘッダフィールドに含まれるＡｄｄｒｅｓｓ１フィールド及びＡｄｄｒｅｓｓ２フィールドは、ともに同じ無線チャネル（ここでは、無線チャネルａ）に割当てるよう分割している。また、誤り検出符号付加部５ａ、５ｂは、それぞれに入力されるデータ系列に対して誤り検出符号を付加している。なお、各無線チャネルにて送信される無線フレームに含まれるＦＣＳフィールドのうち１つは、ヘッダフィールド及びＤａｔａ・Ｂｏｄｙフィールドからなる送信フレーム全体に対して付加されるＦＣＳとしてもよい。
【００４２】
図６に示すような分割方法によれば、Ａｄｄｒｅｓｓ１フィールド及びＡｄｄｒｅｓｓ２フィールドを有するヘッダフィールドを含む第１のデータ系列を送信する無線チャネルａを受信装置で受信した場合に、当該第１のデータ系列に誤りが存在しないときには、Ａｄｄｒｅｓｓ１フィールドに格納されている当該送信フレームの宛先アドレスとともに、Ａｄｄｒｅｓｓ２フィールドに格納されている当該送信フレームの送信元のアドレスを取得することができる。従って、他の無線チャネルｂで送信される第２のデータ系列に誤りが発生している場合にも、無線チャネルａで送信された第１のデータ系列の受信結果を用いて、受信装置から送信装置に対してＡＣＫフレーム信号を返信することが可能となる。よって、各無線チャネルで独立に再送制御や伝送速度制御を行うことが可能になる。これは先に述べたように、各無線チャネルにおいて伝搬路特性が異なる場合などに好適である。
【００４３】
図７は、送信データ分割部６の他の動作例を説明するための図で、ここでは、送信データ分割部６は、送信フレームのヘッダフィールドからＡｄｄｒｅｓｓ１フィールド及びＡｄｄｒｅｓｓ２フィールドを取り出すとともに、Ｄａｔａ・Ｂｏｄｙフィールドを２つに分割して、Ａｄｄｒｅｓｓ１フィールド、Ａｄｄｒｅｓｓ２フィールド及びＤａｔａ・Ｂｏｄｙフィールドの前半部分を含む（第１の送信系から無線チャネルａを用いて送信される）第１のデータ系列と、Ａｄｄｒｅｓｓ１フィールド、Ａｄｄｒｅｓｓ２フィールドが除かれたヘッダフィールドとＤａｔａ・Ｂｏｄｙフィールドの後半部分を含む（第２の送信系から無線チャネルｂを用いて送信される）第２のデータ系列を生成する。
【００４４】
図７に示すような分割方法も、図６の場合と同様、Ａｄｄｒｅｓｓ１フィールド及びＡｄｄｒｅｓｓ２フィールドは、ともに同じ無線チャネル（ここでは、無線チャネルａ）に割当てるよう分割されている。また、誤り検出符号付加部５ａ、５ｂは、それぞれに入力されるデータ系列に対して誤り検出符号を付加している。
【００４５】
そして、Ａｄｄｒｅｓｓ１フィールド及びＡｄｄｒｅｓｓ２フィールドを含む第１のデータ系列を送信する無線チャネルａを受信装置で受信した場合に、当該第１のデータ系列に誤りが存在しないときには、Ａｄｄｒｅｓｓ１フィールドに格納されている送信フレームの宛先アドレスとともに、Ａｄｄｒｅｓｓ２フィールドに格納されている送信フレームの送信元のアドレスを取得することができ、他の無線チャネルｂで送信される第２のデータ系列に誤りが発生している場合にも、無線チャネルａで送信された第１のデータ系列の受信結果を用いて、受信装置から送信装置に対してＡＣＫフレーム信号を返信することが可能となる。よって、各無線チャネルで独立に再送制御や伝送速度制御を行うことが可能になる。
【００４６】
図６及び図７に示したいずれの分割方法であっても、Ａｄｄｒｅｓｓ１フィールド及びＡｄｄｒｅｓｓ２フィールドは、第１のデータ系列に含まれており、この第１のデータ系列は、例えば無線チャネルａから送信される。
【００４７】
なお、ここでは、Ａｄｄｒｅｓｓ１フィールド及びＡｄｄｒｅｓｓ２フィールドを含む第１のデータ系列が無線チャネルａから送信される場合を説明するが、無線チャネルｂから送信される場合も同様である。
【００４８】
以下、図６に示したような分割方法を適用した場合を例にとり説明するが、図７に示したような分割方法を適用した場合も同様である。
【００４９】
図５の説明に戻り、符号化処理部４ａ、４ｂは、それそれに入力された、誤り検出符号の付加された第１、第２のデータ系列に対して畳み込み符号化等の所定の符号化処理を行い、所定の符号化率により符号化する。そして、Ｔａｉｌビット列、Ｐａｄｄｉｎｇビット列の付加された、図６（ｄ）、（ｅ）に示すような２つのデータ系列を、変調処理部３ａ、３ｂへそれぞれ出力する。
【００５０】
変調処理部３ａ、３ｂは、それぞれに入力された各データ系列に対して、図６（ｆ）、（ｇ）に示すように、プリアンブル列、シグナルフィールドを付加するとともに、所定の変調方式により変調処理を行い、変調された結果得られる２つの送信信号を無線処理部２ａ、２ｂへそれぞれ出力する。
【００５１】
無線処理部２ａ、２ｂは、入力された各送信信号に対してＤ／Ａ変換、直交変調、アップコンバード、帯域制限、電力増幅等の所定の無線処理を行って無線信号を生成し、各無線信号をアンテナ１ａ、１ｂからそれぞれ送信する。
【００５２】
（無線フレーム信号の受信）
次に、図５の受信系２０２の各構成部とその動作について説明する。ここでは、無線チャネルａ、ｂを用いて、図６（ｆ）（ｇ）に示したフォーマットの信号を受信する場合について説明する。
【００５３】
送信側無線通信装置（送信装置）から送信された図６（ｆ）（ｇ）に示すフォーマットの信号は、受信系２０２のアンテナ１ａ、１ｂでそれぞれ受信され、各アンテナに対応する無線処理部８ａ、８ｂへ出力される。
【００５４】
無線処理部８ａ、８ｂは、入力された信号に対して帯域制限、ダウンコンバート、直交復調、Ａ／Ｄ変換等の所定の無線処理を行い、その結果を復調処理部９ａ、９ｂへそれぞれ出力する。
【００５５】
復調処理部９ａ、９ｂは、入力された図６（ｆ）（ｇ）に示すフォーマットの信号に対して、同期処理、伝搬路推定処理及び所定の復調方式により復調処理を行い、その結果得られる、図６（ｄ）（ｅ）に示すフォーマットのデータ系列を復号処理部１０ａ、１０ｂへそれぞれ出力する。
【００５６】
復号処理部１０ａ、１０ｂは、入力されたデータ系列に対してビタビ復号等の所定の復号処理を行い、その結果得られる図６（ｂ）（ｃ）に示すフォーマットのデータ系列を誤り検出処理部１１ａ、１１ｂへそれぞれ出力する。
【００５７】
誤り検出処理部１１ａ、１１ｂは、入力されたデータ系列に含まれるＦＣＳフィールドに格納されている誤り訂正符号を用いて、誤り検出処理を行う。当該データ系列に誤りが発生していない場合には、ＦＣＳフィールドを除く当該データ系列を受信データ結合部１２へ出力する。
【００５８】
受信データ結合部１２は、入力された２つのデータ系列を結合して復元された、図６（ａ）に示すフォーマットの送信フレーム（受信データ）を受信バッファ１３へ出力する。受信データは受信バッファ１３に一時的に記憶された後、ＭＡＣ処理部１００へ出力される。
【００５９】
誤り検出処理部１１ａ、１１ｂで、入力されたデータ系列に対し誤り検出処理を行った結果、当該データ系列に誤りが発生した場合には、その旨を制御部１０１へ通知する。
【００６０】
（ＡＣＫフレーム信号の送信）
制御部１０１は、誤り検出処理部１１ａ、１１ｂの誤り検出処理の結果を受けて、図８に示すフォーマットのＡＣＫフレーム信号を送信するための制御を行う。
【００６１】
図８に示すIEEE802.11aで規定されているＡＣＫフレーム信号には、プリアンブル列及びシグナルフィールドに続き、Ｆｒａｍｅ・Ｃｏｎｔｒｏｌフィールド、Ｄｕｒａｔｉｏｎフィールド、送信装置（すなわち、当該ＡＣＫフレーム信号を受信する無線通信装置）のアドレスが格納されるＲＡフィールド、ＦＣＳフィールドを含むＭＡＣフレームが含まれている。
【００６２】
制御部１０１は、誤り検出処理部１１ａ、１１ｂの誤り検出処理の結果を受けて、次の（Ａ）、（Ｂ）に示すようなＡＣＫフレーム信号の送信制御を行う。
【００６３】
（Ａ）少なくとも無線チャネルａで受信された（Ａｄｄｒｅｓｓ１フィールド及びＡｄｄｒｅｓｓ２フィールドを含む）第１のデータ系列から誤りが検出された場合には、無線チャネルｂからはもちろんのこと、無線チャネルａでもＡＣＫフレーム信号の送信は行わない。
【００６４】
（Ｂ）無線チャネルａで受信された第１のデータ系列から誤りが検出されなかった場合には、ＡＣＫフレーム信号を送信する。この場合、無線チャネルｂで受信された第２のデータ系列からも誤りが検出されなかった場合（Ｂ−１）と、無線チャネルｂで受信された第２のデータ系列から誤りが検出された場合（Ｂ−２）とがあり得る。この２つの場合のうちのいずれかであることをＡＣＫフレーム信号で通知する。
【００６５】
ＩＥＥＥ８０２．１１ａで規定されている無線フレーム信号のシグナルフィールドには未使用の１ビットが含まれている。そこで、本実施形態では、当該シグナルフィールド内の未使用の１ビットを受信状態通知用に用いる。ここでは、このシグナルフィールド内の未使用の１ビットを受信状態通知用ビットと呼ぶ。この受信状態通知用ビットにより、受信に失敗した無線フレーム信号の有無を示すようになっている。
【００６６】
第１及び第２のデータ系列からも誤りが検出されなかったときには、図９に示すように、受信状態通知用ビットが「１」であるＡＣＫフレーム信号を送信し、第１のデータ系列には誤りが検出されなかったが、第２のデータ系列から誤りが検出されたときには、図１０に示すように、受信状態通知用ビットが「０」であるＡＣＫフレーム信号を送信する。
【００６７】
制御部１０１は、誤り検出処理部１１ａ、１１ｂでの誤り検出処理結果を受けて、図９と図８のうちのいずれか一方のＡＣＫフレームを送信する場合には、まず、Ｆｒａｍｅ・Ｃｏｎｔｒｏｌフィールド、Ｄｕｒａｔｉｏｎフィールド、ＲＡフィールドを含むデータ系列を送信データ分割部６へ出力する。
【００６８】
送信データ分割部６は、入力された上記データ系列を（第１のデータ系列の受信された）無線チャネルａから送出すべく、第１の送信系の誤り検出符号付加部５ａへ出力して、当該入力されたデータ系列に対し、誤り検出符号を付加して符号化処理部４ａへ出力する。
【００６９】
制御部１０１は、第１及び第２のデータ系列からも誤りが検出されなかったときには、変調処理部３aに対して、シグナルフィールドの受信状態通知用ビットが「１」であることを通知し、第１のデータ系列には誤りが検出されなかったが、第２のデータ系列から誤りが検出されたときには、受信状態通知用ビットが「０」であることを通知する。変調処理部３aは、符号化処理部４ａから入力されたデータ系列に対し、制御部１０１から通知された受信状態通知用ビットを含むシグナルフィールド、及びプリアンブル列を付加するとともに、所定の変調方式により変調処理を行い、結果を無線処理部２ａへ出力する。
【００７０】
無線処理部２ａでは前述同様の処理を行い、図９、図１０に示すようなＡＣＫフレーム信号が送信される。
【００７１】
（ＡＣＫフレーム信号の受信）
次に、図５の受信系２０２において、無線チャネルａで送信される、図９，図１０に示すフォーマットのＡＣＫフレーム信号を受信する場合の動作について説明する。
【００７２】
受信系２０２では、受信装置から返信された図９，図１０に示すフォーマットのＡＣＫフレーム信号をアンテナ１にて受信し、当該アンテナに対応する無線処理部８ａへ入力される。
【００７３】
無線処理部８ａは、入力されたＡＣＫフレーム信号に対して帯域制限、ダウンコンバート、直交復調、Ａ／Ｄ変換等の所定の無線処理を行い、その結果得られた信号を復調処理部９ａへ出力する。
【００７４】
復調処理部９ａは、入力された図９，図１０に示すフォーマットの信号に対して、同期処理、伝搬路推定処理及び所定の復調方式により復調処理を行い、その結果得られる、Ｆｒａｍｅ・Ｃｏｎｔｒｏｌフィールド、Ｄｕｒａｔｉｏｎフィールド、ＲＡフィールド、ＦＣＳフィールドを含むＡＣＫフレームのデータ系列を復号処理部１０ａへ入力すると共に、シグナルフィールドに含まれる受信状態通知用ビットの復調結果を制御部１０１へ通知する。
【００７５】
復号処理部１０ａは、入力されたデータ系列に対してビタビ復号等の所定の復号処理を行い、結果を誤り検出処理部１１ａへ出力する。
【００７６】
誤り検出処理部１１ａは、入力されたデータ系列に含まれるＦＣＳフィールドに格納されている誤り訂正符号を用いて、Ｆｒａｍｅ・Ｃｏｎｔｒｏｌフィールド、Ｄｕｒａｔｉｏｎフィールド、ＲＡフィールドに対し、誤り検出処理を行う。当該データ系列に誤りが発生していない場合には、ＦＣＳフィールドを除く当該データ系列を受信データ結合部１２へ出力する。
【００７７】
受信データ結合部１２は、入力されたデータ系列をそのまま受信バッファ１３へ入力する。データ系列は受信バッファ５１３に一時記憶された後、制御部１０１へと出力される。
【００７８】
こここで、制御部１０１の処理動作について、図１１に示すフローチャートを参照して説明する。
【００７９】
制御部１０１は、ＡＣＫフレーム信号が誤りなく受信された場合に（ステップＳ１）、当該ＡＣＫフレーム信号に含まれるシグナルフィールド内の受信状態通知用ビットが「１」である場合には（ステップＳ２）、先に送信した第１及び第２のデータ系列が受信装置にて正常に受信された（送信に成功した）と判定して、次の無線フレーム信号の送信を行う（ステップＳ３）。一方、シグナルフィールド内の受信状態通知用ビットが「０」である場合には（ステップＳ２）、先に送信した第２のデータ系列の受信が受信装置にて失敗した（送信が失敗した）と判定して、再送制御及び伝送速度制御を行う（ステップＳ４）。
【００８０】
受信状態通知用ビットが「０」であることから、制御部１０１は、無線チャネルａで送信された第１のデータ系列の受信が受信装置で成功したと判定され、無線チャネルｂで送信された第２のデータ系列の受信が受信装置で失敗したと判定されるので、ステップＳ４では、無線チャネルｂでの伝送速度を前回よりも所定値低くして前回と同じ第２のデータ系列を送信する。すなわち、送信データ分割部６に対して、第２のデータ系列を誤り検出符号付加部５ｂに出力させ、第２の送信系から、図６（ｇ）に示したような当該第２のデータ系列を送信する無線フレーム信号を前回よりも低い伝送速度で送信する。
【００８１】
一方、制御部１０１は、フレーム信号を送信後、予め定められた時間経過した後も図９あるいは図１０に示すようなＡＣＫフレーム信号を受信しないときには（ステップＳ５）、先に送信した無線フレーム信号の受信が受信装置にて失敗したを判定して、再送制御及び伝送速度制御を行う（ステップＳ５）。
【００８２】
ＡＣＫフレーム信号が送信されてこないことから、制御部１０１は、無線チャネルａで送信された第１のデータ系列の受信が受信装置で失敗したと判定できるので、ステップＳ６では、無線チャネルａ、ｂでの伝送速度を前回よりも所定値低くして前回と同じ第１及び第２のデータ系列を送信する。すなわち、送信データ分割部６に対して、前回と同じ第１及び第２のデータ系列を誤り検出符号付加部５ａ、５ｂにそれぞれ出力させ、第１及び第２の送信系から、図６（ｆ）、（ｇ）に示したような当該第第１及び２のデータ系列をそれぞれ含む２つの無線フレーム信号を前回よりも低い伝送速度でそれぞれ送信する。なお、ここではＡＣＫフレーム信号を無線チャネルaで送信する場合について説明したが、本発明ではこれに限ることなく、任意の無線チャネル、または複数の無線チャネルを用いてＡＣＫフレームを送信しても構わない。
【００８３】
（送信装置における無線フレーム信号の送信方法）
送信装置は、送信フレームを第１のデータ系列と第２のデータ系列の２つに分割して、無線チャネルａで、Ａｄｄｒｅｓｓ１フィールド及びＡｄｄｒｅｓｓ２フィールドを含む第１のデータ系列を送信し、無線チャネルｂで、Ａｄｄｒｅｓｓ１フィールド及びＡｄｄｒｅｓｓ２フィールドを含まない第２のデータ系列を送信する場合に限らず、図１２に示すように、新たな無線フレーム信号を送信する度に、第１及び第２のデータ系列を送信する無線チャネルが異なるように送信するようにしてもよい。
【００８４】
すなわち、送信装置は、図１２（ａ）に示すように、最初の送信フレームを２つに分割して、無線チャネルａで第１のデータ系列を送信し、無線チャネルｂで第２のデータ系列を送信した後、図１２（ｂ）に示すように、２番目の送信フレームは、無線チャネルａで第２のデータ系列を送信し、無線チャネルｂで第１のデータ系列を送信する。さらに、図１２（ｃ）に示すように、３番目の送信フレームは、無線チャネルａで第１のデータ系列を送信し、無線チャネルｂで第２のデータ系列を送信する。
【００８５】
図１２に示したように、Ａｄｄｒｅｓｓ１フィールド及びＡｄｄｒｅｓｓ２フィールドが含まれている第１のデータ系列を、異なる送信フレームの送信毎に異なる無線チャネルで送信することにより、少なくとも第１のデータ系列を誤りなく受信できたときに、当該第１のデータ系列に対する受信結果を送信装置に対し通知することで、全ての無線チャネルにおいて受信結果を送信装置に対して通知できる度合いが高くなる。
【００８６】
以上説明したように、上記第１の実施形態によれば、送信フレームを複数のデータ系列に分割し、複数の無線チャネルでそれぞれ送信する無線通信装置では、当該複数のデータ系列のうちの１つに送信フレームの宛先アドレス情報及び送信元のアドレス情報を含むように、当該送信フレームを分割し、各データ系列に対し、誤り検出符号を付加する。そして、誤り検出符号の付加された各データ系列を含む複数の無線フレーム信号を複数の無線チャネルで送信する。当該複数の無線フレーム信号を受信する無線通信装置では、宛先アドレス情報及び送信元のアドレス情報を含むデータ系列を有する無線フレーム信号の受信に成功したときに、当該無線無線フレーム信号の受信に成功した無線チャネルを用いるなどの方法により、ＡＣＫフレーム信号を返す。好ましくは、当該ＡＣＫフレーム信号には、複数無線フレーム信号のうち受信に失敗した無線フレーム信号の有無を示す情報（受信状態通知用ビット）が含まれている。
【００８７】
このような構成により、受信側で、複数の無線フレーム信号のうちの１つ（送信フレームの宛先アドレス情報及び送信元のアドレス情報を含むデータ系列を有する無線フレーム信号）の受信に成功すれば、他の無線フレーム信号の受信に失敗した場合でも、当該受信に成功した無線チャネルを用いて確認応答信号を送信するとともに、複数の無線フレーム信号のうち受信に失敗した無線フレーム信号の有無を送信側へ通知することができ、結果として、無線チャネル毎に再送制御や伝送速度制御を行うことが可能となる。
【００８８】
（第２の実施形態）
図１３は、第２の実施形態にかかる無線通信装置の要部の構成例を示したものである。なお、図１３において、図５と同一部分には同一符号を付し、異なる部分についてのみ説明する。すなわち、図１３では、制御部１０１は、過去に送信した無線フレーム信号の送信履歴を記憶する記憶部１０２が新たに追加されている。
【００８９】
図１４は、図１３の記憶部１０２に記憶される送信履歴情報の一例を示したものである。図１４に示した送信履歴情報には、過去に送信された各送信フレームＰ１〜Ｐ５について、各送信フレームを送信する際に用いた各無線チャネルa、ｂでの伝送速度と、各無線チャネルａ、ｂでの送信結果が含まれている。図１４では、過去５回の送信履歴情報を記憶しているが、記憶する回数は任意に設定しても構わない。
【００９０】
図１４に示す送信結果は、無線チャネルａで、Ａｄｄｒｅｓｓ１フィールド及びＡｄｄｒｅｓｓ２フィールドが含まれている第１のデータ系列を送信した場合を示している。すなわち、無線チャネルａで第１のデータ系列を送信した場合に、無線チャネルａでＡＣＫフレームを受信したときには、その受信状態通知用ビットが「１」である場合には（図１１のステップＳ３の場合）、無線チャネルａ、ｂに対する送信結果はともに「○」となり、受信状態通知用ビットが「０」である場合には（図１１のステップＳ４の場合）、無線チャネルａに対する送信結果は「○」、無線チャネルｂに対する送信結果は「×」となる。さらに、ＡＣＫフレーム信号が所定時間経過後も受信されずにタイムアウトした場合には（図１１のステップＳ６）、無線チャネルａに対する送信結果は「×」、無線チャネルｂに対する送信結果は「△」となる。
【００９１】
送信結果が「△」とは、第１のデータ系列を送信した無線チャネルａからＡＣＫフレーム信号が返ってこないことから、第１のデータ系列には誤りが検出されたことは確かであるが、第２のデータ系列に誤りが検出されたか否かは不明であることを示している。
【００９２】
制御部１０１は、１送信フレームを送信し、、当該送信フレームに対するＡＣＫフレーム信号を受信する度に、図１４に示すような送信履歴を記憶する。そして、記憶部１０２に記憶された図１４に示したような送信履歴情報を基に、次に送信する送信フレームを分割した際に、複数の無線チャネルのなかから、Ａｄｄｒｅｓｓ１フィールド及びＡｄｄｒｅｓｓ２フィールドが含まれている第１のデータ系列を送信するための最も安定した無線チャネルを選択するようになっている。
【００９３】
図１５は、制御部１０１の動作を説明するためのもので、第１のデータ系列を有する無線フレーム信号を送信する際に用いる無線チャネルの選択動作を説明するためのフローチャートである。以下、図１５を参照して説明する。
【００９４】
制御部１０１は、受信装置へ送信すべき新たな送信フレーム、すなわち、ＭＡＣ処理部１００から、図６（ａ）に示すようにヘッダ及びＤａｔａ・Ｂｏｄｙを含む送信フレームが送信バッファ７へ出力されると（ステップＳ１１）、記憶部１０２に記憶された当該受信装置に対する図１４に示し送信歴情報を参照して、各無線チャネルに対し重み計算を行う（ステップＳ１２、ステップＳ１３）。
【００９５】
ステップＳ１３での重み計算は、誤りが検出される頻度が小さい（すなわち、送信に成功する度合いの高い）無線チャネルほど高い重み値が得られるような計算方法であれば何でも良い。例えば、送信履歴中「○」に対しては重み「＋１」、「×」に対しては重み「−１」、「△」に対しては重み「０」として、各無線チャネルの重みを計算する。例えば、無線チャネルａには、「○」が４つ、「×」が１つであるから「＋４」と「−１」を加算して重み「＋３」を得る。無線チャネルｂには、「○」が２つ「×」が２つ、「△」が１つであるから「＋２」と「−２」と「０」を加算して重み「０」を得る。
【００９６】
このような計算により得られた重みの値から、値の大きい無線チャネルほど無線通信路の安定性が高いと判断する（ステップＳ１４）。ここでは、無線チャネルａの方が無線チャネルｂよりも重み値は大きいので、無線チャネルａが選択される。そして、制御部１０１は、当該選択された無線チャネルａで、Ａｄｄｒｅｓｓ１フィールド及びＡｄｄｒｅｓｓ２フィールドを含む第１のデータ系列を送信すべく、送信データ分割部６に指示信号を出力する。
【００９７】
なお、途中で伝送速度等が変更された場合には、変更前の送信結果を加味しない方が好ましい。これは伝送速度を変更すると無線通信路から受ける影響が異なるためである。
【００９８】
制御部１０１が図１５に示した制御動作を行うことにより、Ａｄｄｒｅｓｓ１フィールド及びＡｄｄｒｅｓｓ２フィールドを含む第１のデータ系列は、複数の無線チャネルのうち誤り検出の頻度の最も少ない（送信に成功する度合いが高い）、最も安定した伝送路状態の無線チャネルで送信されるため、結果として、無線フレーム全体では誤りが生じている場合においても、個別の無線チャネルで送信された無線フレームに誤りが生じていない場合には、より高い確率でこれを送信装置が識別することが可能となる。
【００９９】
図１５に示したフローチャートは、制御部１０１が、複数の無線チャネルのうち、最も安定した伝送路状態の無線チャネルを、上記第１のデータ系列を送信するための無線チャネルとして選択する場合の動作であるが、図１６は、制御部１０１が伝送速度の最も低い無線チャネルを上記第１のデータ系列を送信するための無線チャネルとして選択する場合の動作を示したフローチャートである。
【０１００】
制御部１０１は、受信装置へ送信すべき新たな送信フレーム、すなわち、ＭＡＣ処理部１００から、図６（ａ）に示すようにヘッダフィールド及びＤａｔａ・Ｂｏｄｙを含む送信フレームが送信バッファ７へ出力されると（ステップＳ２１）、記憶部１０２に記憶された当該受信装置に対する図１４に示し送信歴情報を参照して、伝送速度の最も低い無線チャネルを選択する（ステップＳ２２、ステップＳ２３）。例えば、前回までの送信履歴から、伝送速度の低い方の無線チャネルを選択する。そして、制御部１０１は、当該選択された無線チャネルの方で、Ａｄｄｒｅｓｓ１フィールド及びＡｄｄｒｅｓｓ２フィールドを含む第１のデータ系列を送信すべく、送信データ分割部６に指示信号を出力する（ステップＳ２４）。
【０１０１】
第１のデータ系列をできるだけ低い伝送速度（の無線チャネル）で送信することで、瞬時的に無線通信路の特性が変化した場合においても、影響を受けにくい無線チャネルでＡｄｄｒｅｓｓ１フィールド及びＡｄｄｒｅｓｓ２フィールドを含む第１のデータ系列を送信することにより、結果として、無線フレーム全体では誤りが生じている場合においても、個別の無線チャネルで送信された無線フレームに誤りが生じていない場合には、より高い確率でこれを送信装置が識別することが可能となる。
【０１０２】
なお上記実施形態では、ヘッダフィールドを含む送信フレームを２つに分割して、２つの無線チャネルのうちの一方で、（ヘッダフィールドに含まれる）Ａｄｄｒｅｓｓ１フィールド及びＡｄｄｒｅｓｓ２フィールドを有する第１のデータ系列を送信し、他方で第２のデータ系列を送信する場合を例にとり説明したが、この場合に限らず、送信フレームを３つ以上のＮ個の無線チャネルで送信する場合も上記同様である。この場合、送信フレームをＮ（Ｎは、３以上の整数）個のデータ系列に分割し、そのうちの１つが、Ａｄｄｒｅｓｓ１フィールド及びＡｄｄｒｅｓｓ２フィールドを含む第１のデータ系列であればよい。そして、この第１のデータ系列を送信する無線チャネルとして、図１５に示したように、Ｎ個の無線チャネルのうち最も伝送路状態のよい無線チャネルで送信するか、あるいは、図１６に示したように、最も伝送速度の低い無線チャネルで送信すればよい。さらに、図１５と図１６を組合わせて、伝送路状態が最もよい（重みが同じ値である）無線チャネルが複数ある場合には、その中で最も伝送速度が低い無線チャネルを選択するようにしてもよい。
【０１０３】
以上第１乃至第２の実施形態では、送信フレームを複数のデータ系列に分割し、当該複数のデータ系列のうちの１つにのみ、（送信フレームに含まれる）Ａｄｄｒｅｓｓ１フィールド及びＡｄｄｒｅｓｓ２フィールドが含まれている場合について説明した。
【０１０４】
次の第３の実施形態以降では、送信フレームを複数のデータ系列に分割し、各データ系列に、（送信フレームに含まれる）Ａｄｄｒｅｓｓ１フィールド及びＡｄｄｒｅｓｓ２フィールドが含まれている場合について説明する。
【０１０５】
（第３の実施形態）
図１７は、第３の実施形態にかかる無線通信装置の要部の構成例を示したもので、特に、無線フレーム信号を送信し、当該無線フレーム信号に対応するＡＣＫフレーム信号を受信する送信装置として機能する場合に必要な各構成部を示したものである。
【０１０６】
図１８は、第３の実施形態にかかる無線通信装置の要部の構成例を示したもので、特に、図１７示した構成を有する送信装置から送信された複数の無線フレーム信号を受信し、当該複数の無線フレーム信号に対応するＡＣＫフレーム信号を送信する受信装置として機能する場合に必要な各構成部を示したものである。なお、図１７、図１８では、図５と同一部分には同一符号を付している。第１の実施形態と異なるのは、送信装置での無線フレーム信号を送信する際の送信データ分割部６の動作と、受信装置での当該無線フレーム信号を受信したときのＡＣＫフレーム信号の送信方法が異なる。
【０１０７】
第３の実施形態の場合、各無線チャネルで送信されるフレーム信号に含まれるデータ系列には、どれも受信装置及び送信装置のアドレス情報が含まれているために、受信装置で全無線チャネルのうちの少なくとも１つで無線フレーム信号の受信に成功した場合には、送信装置に対し、各無線チャネルを用いてＡＣＫフレーム信号を送信することができるのである。
【０１０８】
図１８の確認応答生成部２２は、制御部１０１からの制御の基、無線チャネル毎のＡＣＫフレーム信号を生成する。また、図１７の確認応答判定部２１は、受信装置から各無線チャネルで送信されるＡＣＫフレーム信号に基づき、無線フレーム信号の受信に成功あるいは失敗した無線チャネルを判定し、その結果を制御部１０１へ出力する。
【０１０９】
なお、以下の説明では、上記のように第１の実施形態と異なる送信装置と受信装置の動作及び構成についてのみ説明する。
【０１１０】
（送信装置での無線フレーム信号の送信）
図１７を参照して、第３の実施形態にかかる無線通信装置の無線フレーム信号の送信動作を、第１の実施形態と異なる部分についてのみ説明する。すなわち、送信データ分割部６の動作が第１の実施形態と異なる。ここで、図１９を参照して第３の実施形態にかかる送信データ分割部６の動作例を説明する。
【０１１１】
送信データ分割部６は、送信バッファ７に一時記憶された、ヘッダフィールドを含む図１９（ａ）に示すような送信フレームを２つのデータ系列に分割するが、その際、当該２つのデータ系列には、当該送信フレームのヘッダフィールドがそれぞれ含まれている。
【０１１２】
すなわち、送信フレームを分割して得られる一方のデータ系列、すなわち、第１のデータ系列には、送信フレームのヘッダフィールドと、送信フレームのＤａｔａ・Ｂｏｄｙフィールドの前半部分が含まれ、送信フレームを分割して得られる他方のデータ系列、すなわち、第２のデータ系列には、送信フレームのヘッダフィールドと、送信フレームのＤａｔａ・Ｂｏｄｙフィールドの後半部分が含まれている。
【０１１３】
送信データ分割部６は、送信フレームのＤａｔａ・Ｂｏｄｙフィールド内で２つに分割し、送信フレームのヘッダフィールドと送信フレームのＤａｔａ・Ｂｏｄｙフィールドの前半部分とから、第１のデータ系列を生成し、当該ヘッダフィールドのコピーと送信フレームのＤａｔａ・Ｂｏｄｙフィールドの後半部分とから、第２のデータ系列を生成する。
【０１１４】
第１のデータ系列は第１の送信系から無線チャネルａを用いて送信され、第２のデータ系列は第２の送信系から無線チャネルｂを用いて送信される。
【０１１５】
誤り検出符号付加部５ａは、第１の送信系で送信される第１のデータ系列（ヘッダフィールドとＤａｔａ・Ｂｏｄｙフィールドの前半部分）に対して誤り検出符号を付加し、図１９（ｂ）に示すようなデータ系列を符号化処理部４ａへ出力する。誤り検出符号付加部５ｂは、第２の送信系で送信される第２のデータ系列（ヘッダフィールドとＤａｔａ・Ｂｏｄｙフィールドの後半部分）に対して誤り検出符号を付加し、図１９（ｃ）に示すようなデータ系列を符号化処理部４ｂへ出力する。
【０１１６】
図２０は、送信データ分割部６の他の動作例を説明するための図で、ここでは、送信データ分割部６は、送信バッファ７に一時記憶された、ヘッダフィールドを含む図２０（ａ）に示すような送信フレームを２つのデータ系列に分割するが、その際、当該２つのデータ系列のうちの一方には、当該送信フレームのヘッダフィールドが含まれ、他方には、当該ヘッダフィールドの中のＡｄｄｒｅｓｓ１フィールド及びＡｄｄｒｅｓｓ２フィールドのみが含まれている。
【０１１７】
すなわち、送信フレームを分割して得られる一方のデータ系列、すなわち、第１のデータ系列には、送信フレームのヘッダフィールドと、送信フレームのＤａｔａ・Ｂｏｄｙフィールドの前半部分が含まれ、送信フレームを分割して得られる他方のデータ系列、すなわち、第２のデータ系列には、送信フレームのヘッダフィールド内のＡｄｄｒｅｓｓ１フィールド及びＡｄｄｒｅｓｓ２フィールドと、送信フレームのＤａｔａ・Ｂｏｄｙフィールドの後半部分が含まれている。
【０１１８】
送信データ分割部６は、送信フレームのＤａｔａ・Ｂｏｄｙフィールド内で２つに分割し、送信フレームのヘッダフィールドと送信フレームのＤａｔａ・Ｂｏｄｙフィールドの前半部分とから、第１のデータ系列を生成し、当該ヘッダフィールド内のＡｄｄｒｅｓｓ１フィールド及びＡｄｄｒｅｓｓ２フィールドのコピーと送信フレームのＤａｔａ・Ｂｏｄｙフィールドの後半部分とから、第２のデータ系列を生成する。
【０１１９】
誤り検出符号付加部５ａは、第１の送信系で送信される第１のデータ系列（ヘッダフィールドとＤａｔａ・Ｂｏｄｙフィールドの前半部分）に対して誤り検出符号を付加し、図２０（ｂ）に示すようなデータ系列を符号化処理部４ａへ出力する。誤り検出符号付加部５ｂは、第２の送信系で送信される第２のデータ系列（Ａｄｄｒｅｓｓ１フィールド及びＡｄｄｒｅｓｓ２フィールドと、Ｄａｔａ・Ｂｏｄｙフィールドの後半部分）に対して誤り検出符号を付加し、図２０（ｃ）に示すようなデータ系列を符号化処理部４ｂへ出力する。
【０１２０】
図１９、図２０に示すような分割方法によれば、Ａｄｄｒｅｓｓ１フィールド及びＡｄｄｒｅｓｓ２フィールドは、第１のデータ系列及び第２のデータ系列の両方に含まれている。すなわち、受信装置では、全ての無線チャネルで、Ａｄｄｒｅｓｓ１フィールドに格納されている送信フレームの宛先アドレスとともに、Ａｄｄｒｅｓｓ２フィールドに格納されている送信フレームの送信元のアドレスを取得することができる。従って、受信装置では、送信装置に対して全ての無線チャネルに対する確認応答を返信することが可能となる。つまり、各無線チャネルで独立に再送制御や伝送速度制御を行うことが可能になる。
【０１２１】
図１９（ｂ）あるいは図２０（ｂ）に示すような第１のデータ系列は、第１の実施形態で説明したように、第１の送信系により、Ｔａｉｌビット列やＰａｄｄｉｎｇビット列、さらにプリアンブル列やシグナルフィールドが付加された、無線フレーム信号（第１の無線フレーム信号）としてアンテナａから送信される。また、図１９（ｃ）あるいは図２０（ｃ）に示すような第２のデータ系列は、第１の実施形態で説明したように、第２の送信系により、Ｔａｉｌビット列やＰａｄｄｉｎｇビット列、さらにプリアンブル列やシグナルフィールドが付加された無線フレーム信号（第２の無線フレーム信号）としてアンテナｂから送信される。
【０１２２】
（受信装置での無線フレーム信号の受信）
図１８に示す構成部を有する受信装置で、上記第１及び第２の無線フレーム信号を受信する動作は、第１の実施形態と同様である。
【０１２３】
第１の実施形態と異なるのは、図１８に示す構成部を有する受信装置で、上記第１及び第２の無線フレーム信号を受信した際に、それぞれに含まれる第１及び第２のデータ系列に対し誤り検出処理の結果を受けて、ＡＣＫフレーム信号を送信するための制御動作である。以下、この動作について説明する。
【０１２４】
第１の実施形態で説明したように、誤り検出処理部１１ａ、１１ｂは、入力されたデータ系列に含まれるＦＣＳフィールドに格納されている誤り訂正符号を用いて、誤り検出処理を行う。当該データ系列に誤りが発生していない場合には、ＦＣＳフィールドを除く当該データ系列を受信データ結合部１２へ出力する。
【０１２５】
誤り検出処理部１１ａ、１１ｂで、入力されたデータ系列に対し誤り検出処理を行った結果は、制御部１０１の受信データ判定部１０３へ通知される。
【０１２６】
受信データ判定部１０３は、通知された誤り検出結果から、複数の無線チャネルのうちの少なくとも1つの無線チャネルで受信が成功した（誤りが検出されなかった）場合、確認応答生成部２２に対して、当該無線チャネルに対する確認応答（ＡＣＫフレーム信号）を生成するよう指示する。また、全ての無線チャネルにおいて受信が失敗した（誤りが検出された）場合には、受信した第１及び第２のデータ系列を破棄するよう制御する。この場合には、ＡＣＫフレーム信号は送信されない。
【０１２７】
確認応答生成部２２は、受信データ判定部１０３からの指示に従い、ＡＣＫフレーム信号として送信する（ＡＣＫフレーム信号に含まれる）データ系列を生成し、それをＡＣＫフレーム信号を送信する無線チャネルに対応する誤り検出符号付加部５へ出力する。
【０１２８】
ここで、確認応答生成部２２の動作例について説明する。ここでは、図１７に示した構成を有する送信装置から２つの無線チャネルａ、ｂで第１及び第２のデータ系列をそれぞれ含む第１及び第２の無線フレーム信号を図１８に示した構成を有する受信装置で受信する場合を例にとり説明する。
【０１２９】
まず、第１の動作例を図２１及び図２２を参照して説明する。
【０１３０】
各無線チャネルａ、ｂを介して受信された第１及び第２のデータ系列に対する誤り検出結果から、受信データ判定部１０３で全ての無線チャネルでの受信が成功したと判定した場合、確認応答生成部２２は、IEEE802.11aで規定されているＡＣＫフレーム信号を各無線チャネルａ、ｂから送信するために、第１の送信系及び第２の送信系に対し、Ｆｒａｍｅ・Ｃｏｎｔｒｏｌフィールド、Ｄｕｒａｔｉｏｎフィールド、ＲＡフィールドを含むデータ系列をそれぞれ出力する。
【０１３１】
第１の実施形態で説明したように、第１及び第２の送信系では、誤り検出符号付加部５では上記データ系列にＦＣＳフィールドを付加した後、符号化処理部４で符号化して、Ｔａｉｌビット列やＰａｄｄｉｎｇビット列を付加し、さらに、変調処理部９でプリアンブル列やシグナルフィールドを付加して変調した結果得られるＡＣＫフレーム信号がアンテナ１から送信される。図２１（ａ）は、第１の送信系から無線チャネルａで送信されＡＣＫフレーム信号であり、図２１（ｂ）は、第２の送信系から無線チャネルｂで送信されるＡＣＫフレーム信号である。
【０１３２】
一方、各無線チャネルａ、ｂを介して受信された第１及び第２のデータ系列に対する誤り検出結果から、受信データ判定部１０３で無線チャネルａでの受信が成功し、無線チャネルｂでの受信が失敗したと判定した場合、確認応答生成部２２は、IEEE802.11aで規定されているＡＣＫフレーム信号を無線チャネルａのみから送信するために、第１の送信系に対し、Ｆｒａｍｅ・Ｃｏｎｔｒｏｌフィールド、Ｄｕｒａｔｉｏｎフィールド、ＲＡフィールドを含むデータ系列をそれぞれ出力する。この場合、図２２に示すように、無線チャネルａでＡＣＫフレーム信号を送信し、無線チャネルｂではＡＣＫフレーム信号を送信しない。
【０１３３】
上記第１の動作例によれば、無線フレーム信号を送信した送信装置（の確認応答判定部２１）では、無線フレーム信号送信後所定時間の間に上記ＡＣＫフレーム信号を受信することにより、当該ＡＣＫフレーム信号を送信してきた無線チャネルでの無線フレーム信号の送信に成功したと判定し、無線フレーム信号送信後所定時間の間に上記ＡＣＫフレーム信号を受信することができなかった無線チャネルでの無線フレーム信号の送信が失敗したと判定する。
【０１３４】
送信装置（の制御部１０１）は、例えば、無線フレーム信号の送信に失敗したと判定された無線チャネルに対して、伝送速度を前回よりも低くして、同一の無線フレーム信号の再送を行う。
【０１３５】
このように、送信装置では、無線チャネル毎に、再送制御や伝送速度制御を行うことができる。
【０１３６】
次に、第２の動作例について図２３及び図２４を参照して説明する。
【０１３７】
ここでは、各無線チャネルａ、ｂを介して受信された第１及び第２のデータ系列に対する誤り検出結果から、受信データ判定部１０３で全ての無線チャネルでの受信が成功したと判定した場合と、一部の無線チャネルでの受信が成功したと判定した場合とで区別されたＡＣＫフレーム信号を送信する場合について説明する。
【０１３８】
ＩＥＥＥ８０２．１１ａで規定されている無線フレーム信号のシグナルフィールドには未使用の１ビットが含まれている。そこで、ここでは、当該シグナルフィールド内の未使用の１ビットを受信状態通知用に用いる。ここでは、このシグナルフィールド内の未使用の１ビットを受信状態通知用ビットと呼ぶ。この受信状態通知用ビットにより、受信に失敗した無線フレーム信号の有無が通知される。
【０１３９】
第１及び第２のデータ系列からも誤りが検出されなかったとき（すなわち、無線チャネルａ、ｂでの受信が成功した場合）には、図２３に示すように、受信状態通知用ビットが「１」であるＡＣＫフレーム信号を無線チャネルａ、ｂのそれぞれから送信し、第１のデータ系列には誤りが検出されなかったが、第２のデータ系列から誤りが検出されたとき（すなわち、無線チャネルａでの受信が成功し、無線チャネルｂでの受信が失敗した場合）には、図２４に示すように、受信状態通知用ビットが「０」であるＡＣＫフレーム信号を無線チャネルａで送信し、無線チャネルｂではＡＣＫフレーム信号を送信しない。
【０１４０】
例えば、確認応答生成部２２は、受信が成功した無線チャネルでＡＣＫフレーム信号を送信する場合には、まず、Ｆｒａｍｅ・Ｃｏｎｔｒｏｌフィールド、Ｄｕｒａｔｉｏｎフィールド、ＲＡフィールドを含むデータ系列を誤り検出符号付加部５へ出力する。
【０１４１】
誤り検出符号付加部５は、入力された上記データ系列に対し、誤り検出符号を付加して符号化処理部４へ出力する。
【０１４２】
制御部１０１は、無線チャネルａ、ｂでの受信が成功した場合には、変調処理部３に対して、シグナルフィールドの受信状態通知用ビットが「１」であることを通知し、無線チャネルａでの受信が成功し、無線チャネルｂでの受信が失敗した場合には、受信状態通知用ビットが「０」であることを通知する。変調処理部３は、符号化処理部４から入力されたデータ系列に対し、制御部１０１から通知された受信状態通知用ビットを含むシグナルフィールド、及びプリアンブル列を付加するとともに、所定の変調方式により変調処理を行い、結果を無線処理部２へ出力する。無線処理部２では前述同様の処理を行い、図２３、図２４に示すようなＡＣＫフレーム信号が送信される。
【０１４３】
上記第２の動作例によれば、無線フレーム信号を送信した送信装置（の確認応答判定部２１）では、無線フレーム信号送信後所定時間の間に上記ＡＣＫフレーム信号を受信することにより、当該ＡＣＫフレーム信号を送信してきた無線チャネルでの無線フレーム信号の送信に成功したと判定し、しかもＡＣＫフレーム信号中の受信状態通知用ビットが「１」であるときには、全ての無線チャネルでの送信が成功したと判定し、受信状態通知用ビットが「０」であるときには、一部の無線チャネルでの送信が失敗したと判定する。この場合、確認応答判定部２１では、無線フレーム信号送信後所定時間の間に上記ＡＣＫフレーム信号を受信することができなかった無線チャネルでの無線フレーム信号の送信が失敗したと判定する。一方、無線フレーム信号送信後所定時間の間に上記ＡＣＫフレーム信号をどの無線チャネルからも受信することができなかった場合には、全ての無線チャネルでの無線フレーム信号の送信が失敗したと判定する。
【０１４４】
このように、上記第２の動作例によれば、受信装置で全ての無線チャネルにおいてデータの受信に成功した場合においては、送信装置において、少なくとも１つの無線チャネルでＡＣＫフレーム信号の受信に成功することで、当該ＡＣＫフレーム信号が送られてきた無線チャネルでの受信が成功したこと、及び全ての無線チャネルでの受信が成功したのか一部の無線チャネルでの受信が成功したのかを検出することが可能となり、結果として無線通信の信頼性を向上させることが可能となる。
【０１４５】
送信装置（の確認応答判定部２１）では、全無線チャネルのうちの少なくとも１つで、受信状態通知用ビットが「０」であるＡＣＫフレーム信号を受信した場合には、ＡＣＫフレーム信号が送信されてこなかった無線チャネルについては、無線フレーム信号の送信に失敗したと判定する。その結果、制御部１０１は、例えば、無線フレーム信号の送信に失敗したと判定された無線チャネルに対して、伝送速度を前回よりも低くして、同一の無線フレーム信号の再送を行うよう送信系２０１に対する制御を開始する。
【０１４６】
上記第２の動作例において、全無線チャネルでの受信が成功した場合には、図２５に示すように、全無線チャネルのうち少なくとも１つの無線チャネルで、受信状態通知用ビットが「１」であるＡＣＫフレーム信号を送信するとともに、全無線チャネルのうち少なくとも１つの無線チャネルで、各無線チャネルでの伝送路状態を示す情報（伝送路情報）を含む信号を送信するようにしてもよい。
【０１４７】
図２５では、無線チャネルａで受信状態通知用ビットが「１」であるＡＣＫフレーム信号を送信し、無線チャネルｂで、各無線チャネルの伝送路情報を含む信号を送信する場合を示している。
【０１４８】
各無線チャネルの伝送路状態を示す情報としては、例えば各無線チャネルにおける平均ＳＩＮＲ（Ｓｉｇｎａｌ  ｔｏ  Ｉｎｔｅｒｆｅｒｅｎｃｅ  Ｎｏｉｓｅ  Ｒａｔｉｏ）や平均ＥＶＭ（Ｅｒｒｏｒ  Ｖｅｃｔｏｒ  Ｍａｇｎｉｔｕｄｅ）等がある。これらは受信装置で受信した無線フレーム信号中のプリアンブルアンブル列を用いて測定することのできる情報である。
【０１４９】
また、上記第２の動作例において、全無線チャネルでの受信が成功した場合には、図２６に示すように、全無線チャネルのうち少なくとも１つの無線チャネルで、受信状態通知用ビットが「１」であるＡＣＫフレーム信号を送信するとともに、全無線チャネルのうち少なくとも１つの無線チャネルで、受信装置から送信装置へ要求する（各無線チャネルで送信される）各データ系列の伝送速度を示す情報を含む信号を送信するようにしてもよい。
【０１５０】
図２６では、無線チャネルａで受信状態通知用ビットが「１」であるＡＣＫフレーム信号を送信し、無線チャネルｂで、受信装置から送信装置へ要求する各無線チャネルでの伝送速度を含む信号を送信する場合を示している。
【０１５１】
さらに、上記第２の動作例において、全無線チャネルでの受信が成功した場合には、図２５に示すように、全無線チャネルのうち少なくとも１つの無線チャネルで、受信状態通知用ビットが「１」であるＡＣＫフレーム信号を送信するとともに、全無線チャネルのうち少なくとも１つの無線チャネルで、各無線チャネルでの伝送路状態を示す情報（伝送路情報）を含む信号を送信し、さらに、全無線チャネルのうち少なくとも１つの無線チャネルで、受信装置から送信装置へ要求する各無線チャネルでの伝送速度を含む信号を送信するようにしてもよい。
【０１５２】
図２５、図２６に示すような信号を送信する場合の受信装置の構成例を図２８に示す。なお、図２８において、図１８と同一部分には同一符号を付し、異なる部分についてのみ説明する。すなわち、図２８では、制御部１０１には、伝送路状態判定部１０４が含まれている。
【０１５３】
伝送路状態判定部１０４は、復調処理部９から出力されるプリアンブル列の復調結果を基にして、図２９に示すような各無線チャネルにおけるＳＩＮＲや、図３０に示すような各無線チャネルにおけるＥＶＭを測定するととともに、これらにより決定される各無線チャネルで送信される各データ系列の伝送速度を決定して、測定されたＳＩＮＲ、ＥＶＭ、決定された伝送速度を確認応答生成部２２に通知する。このとき、制御部１０１（伝送路状態判定部１０４）は、ＡＣＫフレーム信号を送信する無線チャネルや、各無線チャネルでの伝送路状態を示す情報（伝送路情報）を含む信号を送信する無線チャネル、あるいは受信装置から送信装置へ要求する各無線チャネルでの伝送速度を含む信号を送信する無線チャネルを確認応答生成部２１に対し指示する。
【０１５４】
確認応答生成部２２は、伝送路状態判定部１０４から通知された情報を基に、図２５、図２６に示すような、各無線チャネルでの伝送路情報を含むデータ系列や、受信装置から送信装置へ要求する各無線チャネルでの伝送速度を含むデータ系列を誤り検出符号付加部５へ出力する。
【０１５５】
なお、全ての無線チャネルにおいてデータの受信に成功したことを通知する受信状態通知用ビットが「１」のＡＣＫフレーム信号を送信する無線チャネルは、各無線チャネルの信頼度に応じて決定してもよい。この信頼度は、過去Ｎ回の無線通信において、受信装置から送信装置に対し、異なる無線チャネルから、全ての無線チャネルにおいて受信に成功したことが通知された場合に、これが送信装置において正常に受信されず、誤って再度同一のフレームが送信装置より送信された回数を履歴として受信装置（の制御部１０１）で記憶しておき、その回数が少ないほど信頼度が高いと判定する（当該回数が「０」であるような無線チャネルが最も信頼度が高い）。制御部１０１は、その時点で最も信頼度の高い無線チャネルを選択して、当該選択された無線チャネルで受信状態通知用ビットが「１」のＡＣＫフレーム信号を送信するよう確認応答生成部２２に対し指示する。
【０１５６】
このように、受信装置において、全ての無線チャネルで受信に成功した場合に、これを送信装置に通知すると共に、当該無線通信に関する伝搬路情報や要求する伝送速度等を送信装置に対し通知することにより、結果として送信装置にて行われる伝送速度制御等の信頼性を向上させることが可能となる。
【０１５７】
上記第２の動作例において、全無線チャネルのうち少なくとも１つの無線チャネルで受信が成功し、且つ少なくとも１つの無線チャネルで受信が失敗した場合には、図１７に示すように、全無線チャネルのうち受信が成功した無線チャネルでのうちの少なくとも１つの無線チャネルで、受信状態通知用ビットが「０」であるＡＣＫフレーム信号を送信するとともに、全無線チャネルのうち少なくとも１つの無線チャネルで、各無線チャネルでの伝送路状態を示す情報（伝送路情報）を含む信号を送信するようにしてもよい。
【０１５８】
例えば、全無線チャネルのうち受信が成功した無線チャネルで、受信状態通知用ビットが「０」であるＡＣＫフレーム信号を送信するとともに、全無線チャネルのうち受信が失敗した無線チャネルで、各無線チャネルでの伝送路状態を示す情報（伝送路情報）を含む信号を送信する。
【０１５９】
図２７では、無線チャネルａで受信が成功し、無線チャネルｂで受信が失敗した場合に、無線チャネルａで受信状態通知用ビットが「０」であるＡＣＫフレーム信号を送信し、無線チャネルｂで、各無線チャネルの伝送路情報を含む信号を送信する場合を示している。
【０１６０】
このように、全無線チャネルのうちの一部の無線チャネルで受信が失敗した場合にも、受信が成功した無線チャネルで、受信状態通知用ビットが「０」であるＡＣＫフレーム信号を送信しながら、他の無線チャネルで各無線チャネルの伝送路情報も送信装置へ通知することにより、送信装置では、全無線チャネルのうちの少なくとも１つで、受信状態通知用ビットが「０」であるＡＣＫフレーム信号を受信した場合に、別の無線チャネルで、各無線チャネルの伝送路情報を含む信号を受信した場合には、無線フレーム信号の送信に失敗したと判定された無線チャネルに対して、伝送速度を前回よりも低くして、同一の無線フレーム信号の再送を行う。また、例えば、当該伝送路情報から予め定められた閾値以下の伝送路状態を示す無線チャネルに対して、無線フレーム信号の送信に失敗したと判定し、無線フレーム信号の送信に失敗したと判定された無線チャネルに対して、伝送速度を前回よりも低くして、同一の無線フレーム信号の再送を行う。その結果、送信装置にて行われる伝送速度制御等の信頼性を向上させることが可能となる。
【０１６１】
なお上記第３の実施形態では、ヘッダフィールドを含む送信フレームを２つに分割して、２つの無線チャネルのそれぞれで、（ヘッダフィールドに含まれる）Ａｄｄｒｅｓｓ１フィールド及びＡｄｄｒｅｓｓ２フィールドを有する第１のデータ系列及び第２のデータ系列を送信する場合を例にとり説明したが、この場合に限らず、送信フレームを３つ以上のＮ個の無線チャネルで送信する場合も上記同様である。この場合、送信フレームをＮ（Ｎは、３以上の整数）個のデータ系列に分割し、各データ系列に、Ａｄｄｒｅｓｓ１フィールド及びＡｄｄｒｅｓｓ２フィールドが含まれている。
【０１６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１６３】
【図１】複数の無線チャネルを用いて無線フレーム信号を送信する場合を説明するための図。
【図２】ＩＥＥＥ８０２．１１ａで規定されている無線フレームのフォーマットそ示した図。
【図３】ＩＥＥＥ８０２．１１ａで規定されている通信シーケンスを説明するための図。
【図４】複数の無線チャネルを用いて無線フレーム信号を送受信する場合の問題点を説明するための図。
【図５】第１の実施形態に係る無線通信装置の構成例を示した図。
【図６】送信フレームの分割方法と、無線フレーム信号の送信動作を説明するための図。
【図７】送信フレームの分割方法の他の例を説明するための図。
【図８】ＩＥＥＥ８０２．１１ａで規定されている確認応答信号（ＡＣＫフレーム信号）のフォーマットを示した図。
【図９】第１の実施形態に係るＡＣＫフレーム信号について説明するための図で、全無線チャネルで受信に成功した場合に送信されるＡＣＫフレーム信号を示している。
【図１０】第１の実施形態に係るＡＣＫフレーム信号について説明するための図で、受信に成功した無線チャネルが存在する場合に送信されるＡＣＫフレーム信号を示している。
【図１１】無線通信装置におけるＡＣＫフレーム信号の受信動作の一例を説明するためのフローチャート。
【図１２】無線通信装置における無線フレーム信号の送信方法を説明するための図。
【図１３】第２の実施形態に係る無線通信装置の構成例を示した図。
【図１４】送信履歴の記憶例を示し図。
【図１５】アドレス情報を含む第１のデータ系列を有する無線フレーム信号を送信する際に用いる無線チャネルの選択動作を説明するためのフローチャート。
【図１６】アドレス情報を含む第１のデータ系列を有する無線フレーム信号を送信する際に用いる無線チャネルの選択動作の他の例を説明するためのフローチャート。
【図１７】第３の実施形態に係る無線通信装置の要部の構成例を示した図で、特に、無線フレーム信号を送信し、当該無線フレーム信号に対応するＡＣＫフレーム信号を受信する送信装置として機能する場合に必要な各構成部を示したものである。
【図１８】第３の実施形態にかかる無線通信装置の要部の構成例を示したもので、特に、図１７示した構成を有する送信装置から送信された複数の無線フレーム信号を受信し、当該複数の無線フレーム信号に対応するＡＣＫフレーム信号を送信する受信装置として機能する場合に必要な各構成部を示したものである。
【図１９】送信データ分割部における送信フレームの分割方法を説明するための図。
【図２０】送信データ分割部における送信フレームの分割方法の他の例を説明するための図。
【図２１】確認応答生成部の第１の動作例を説明するための図であり、全無線チャネルで無線フレーム信号の受信に成功した場合に送信されるＡＣＫフレーム信号と、ＡＣＫフレーム信号の送信方法を説明するための図。
【図２２】確認応答生成部の第１の動作例を説明するための図であり、無線チャネルａ、ｂのうち、無線チャネルａのみで無線フレーム信号の受信に成功した場合に送信されるＡＣＫフレーム信号と、ＡＣＫフレーム信号の送信方法を説明するための図。
【図２３】確認応答生成部の第２の動作例を説明するための図であり、全無線チャネルで無線フレーム信号の受信に成功した場合に送信されるＡＣＫフレーム信号と、ＡＣＫフレーム信号の送信方法を説明するための図。
【図２４】確認応答生成部の第２の動作例を説明するための図であり、無線チャネルａ、ｂのうち、無線チャネルａのみで無線フレーム信号の受信に成功した場合に送信されるＡＣＫフレーム信号と、ＡＣＫフレーム信号の送信方法を説明するための図。
【図２５】全無線チャネルで無線フレーム信号の受信に成功した場合に、ＡＣＫフレーム信号と、各無線チャネルの伝送路状態を含む信号を送信する場合を説明するための図。
【図２６】全無線チャネルで無線フレーム信号の受信に成功した場合に、ＡＣＫフレーム信号と、受信装置から送信装置へ要求する（各無線チャネルで送信される）各データ系列の伝送速度を示す情報を含む信号を送信する場合を説明するための図。
【図２７】無線チャネルａ、ｂのうち、無線チャネルａのみで無線フレーム信号の受信に成功した場合に、無線チャネルでＡＣＫフレーム信号を送信し、無線チャネルｂで各無線チャネルの伝送路状態を含む信号を送信する場合を説明するための図。
【図２８】無線通信装置の他の構成例を示した図。
【図２９】受信側で測定される各無線チャネルのＳＩＮＲについて説明するための図。
【図３０】受信側で測定される各無線チャネルのＥＶＭについて説明するための図。
【符号の説明】
【０１６４】
１…アンテナ、２…無線処理部、３…変調処理部、４…符号化処理部、５…誤り検出符号付加部、６…送信データ分割部、７…送信バッファ、８…無線処理部、９…復調処理部、１０…復号処理部、１１…誤り検出処理部、１２…受信データ結合部、１３…受信バッファ、２１…確認応答判定部、２２…確認応答生成部、１００…ＭＡＣ処理部、１０１…制御部、１０２…記憶部、１０３…受信データ判定部、１０４…伝送路状態判定部、２０１…送信系、２０２…受信系。
【図１】
2005333345.tif 000003
【図２】
2005333345.tif 000004
【図３】
2005333345.tif 000005
【図４】
2005333345.tif 000006
【図５】
2005333345.tif 000007
【図６】
2005333345.tif 000008
【図７】
2005333345.tif 000009
【図８】
2005333345.tif 000010
【図９】
2005333345.tif 000011
【図１０】
2005333345.tif 000012
【図１１】
2005333345.tif 000013
【図１２】
2005333345.tif 000014
【図１３】
2005333345.tif 000015
【図１４】
2005333345.tif 000016
【図１５】
2005333345.tif 000017
【図１６】
2005333345.tif 000018
【図１７】
2005333345.tif 000019
【図１８】
2005333345.tif 000020
【図１９】
2005333345.tif 000021
【図２０】
2005333345.tif 000022
【図２１】
2005333345.tif 000023
【図２２】
2005333345.tif 000024
【図２３】
2005333345.tif 000025
【図２４】
2005333345.tif 000026
【図２５】
2005333345.tif 000027
【図２６】
2005333345.tif 000028
【図２７】
2005333345.tif 000029
【図２８】
2005333345.tif 000030
【図２９】
2005333345.tif 000031
【図３０】
2005333345.tif 000032